(57)【要約】【課題】外部記憶装置に格納された対象ファイルを用いて印刷処理が実行される場合に、更新された対象ファイルを利用して印刷処理が実行可能になる技術を提供する。【解決手段】本開示の一態様は、プリンタである。情報判断部は、対象ファイルが特定の機能を示す情報を有するか否かを判断する。特定の機能は、共通のファイルである対象ファイルが複数の端末装置のそれぞれで更新されることに応じて、複数の端末装置のそれぞれが対象ファイルの更新の結果を示す更新情報をサーバに送信可能な機能である。要求送信部は、対象ファイルが特定の機能を示す情報を有すると判断される場合に、更新情報を要求するための要求情報をサーバに送信し、対象ファイルが特定の機能を示す情報を有しないと判断される場合に、要求情報はサーバに送信されない。更新部は、サーバから受信した更新情報を利用して対象ファイルを更新する。【選択図】図３
2019180014.tif 000002
【特許請求の範囲】
【請求項１】
プリンタであって、
印刷実行部と、
特定のインターフェースと、
前記特定のインターフェースを介して、外部記憶装置から対象ファイルを取得するファイル取得部と、
前記対象ファイルが特定の機能を示す情報を有するか否かを判断する情報判断部であって、前記特定の機能は、共通のファイルである前記対象ファイルが複数の端末装置のそれぞれで更新されることに応じて、前記複数の端末装置のそれぞれが前記対象ファイルの更新の結果を示す更新情報をサーバに送信可能な機能である、前記情報判断部と、
前記情報判断部により前記対象ファイルが前記特定の機能を示す情報を有すると判断される場合に、前記更新情報を要求するための要求情報を前記サーバに送信する要求送信部であって、前記情報判断部により前記対象ファイルが前記特定の機能を示す情報を有しないと判断される場合に、前記要求情報は前記サーバに送信されない、前記要求送信部と、
前記サーバから前記更新情報を受信する受信部と、
前記更新情報を利用して、取得済みの前記対象ファイルを更新する更新部と、
更新済みの前記対象ファイルに基づく画像を前記印刷実行部に印刷させる印刷制御部と、
を備えるプリンタ。
【請求項２】
請求項１に記載のプリンタであって、
前記ファイル取得部は、前記複数の端末装置のうちのいずれかの端末装置から前記外部記憶装置に格納された前記対象ファイルを前記外部記憶装置から取得し、
前記更新部は、前記外部記憶装置に前記対象ファイルが格納された後に前記サーバに格納された前記更新情報を利用して、前記対象ファイルを更新する、プリンタ。
【請求項３】
請求項１又は請求項２に記載のプリンタであって、
前記特定のインターフェースは、ＵＳＢインターフェースであり、
前記外部記憶装置は、ＵＳＢメモリであり、
前記ファイル取得部は、前記ＵＳＢインターフェースに前記ＵＳＢメモリが挿入されることに応じて、前記対象ファイルを前記ＵＳＢメモリから取得する、プリンタ。
【請求項４】
請求項１から請求項３までのいずれか１項に記載のプリンタであって、
第１のモードと第２のモードとを含む複数のモードからモードを選択する選択操作をユーザから受け付ける選択受付け部を更に備え、
前記要求送信部は、前記第１のモードが選択される場合であって、前記情報判断部により前記対象ファイルが前記特定の機能を示す情報を有すると判断される場合に、前記要求情報を前記サーバに送信し、
前記要求情報は、前記第２のモードが選択される場合に、前記情報判断部により前記対象ファイルが前記特定の機能を示す情報を有すると判断されるか否かにかかわらずに、前記サーバに送信されない、プリンタ。
【請求項５】
請求項１から請求項４までのいずれか１項に記載のプリンタであって、
ＯＣＲ処理により原稿から手書きの前記更新情報を読み取る読取り処理部と、
前記読取り処理部により読み取られた前記更新情報を、前記サーバに送信する更新送信部と、
を更に備えるプリンタ。
【請求項６】
請求項１から請求項４までのいずれか１項に記載のプリンタであって、
前記印刷制御部は、前記更新済みの対象ファイルに基づく画像と、コード画像と、が含まれる合成画像を前記印刷実行部に印刷させ、
前記コード画像は、前記複数の端末装置のうち少なくとも１つの端末装置に係る少なくとも１人のユーザを特定可能な情報であるユーザ特定情報と、前記サーバを特定可能な情報であるサーバ特定情報と、を含む画像である、プリンタ。
【請求項７】
請求項６に記載のプリンタであって、
原稿に印刷された前記コード画像を読み取ることで、前記ユーザ特定情報及び前記サーバ特定情報を取得する情報取得部と、
ＯＣＲ処理により前記原稿から手書きの前記更新情報を読み取る読取り処理部と、
ユーザが前記複数の端末装置のいずれかに係るユーザであるかを判断するための情報である認証情報に基づいて、ユーザの認証を実行する認証部と、
前記読取り処理部により読み取られた前記更新情報と、前記認証部により認証されたユーザを特定可能な前記ユーザ特定情報とを、前記サーバ特定情報により特定される前記サーバに対して送信する更新送信部と、
を更に備えるプリンタ。
【請求項８】
請求項１から請求項７までのいずれか１項に記載のプリンタであって、
前記対象ファイルは、前記更新情報に基づいて前記対象ファイルを更新できる期間を示す期間情報を更に含み、
前記期間情報を利用して、前記対象ファイルの最新の更新日時が前記期間を過ぎているか否かを判断する期間判断部を更に備え、
前記要求送信部は、前記期間判断部により前記最新の更新日時が前記期間を過ぎていないと判断される場合に前記要求情報を送信し、前記期間判断部により前記最新の更新日時が前記期間を過ぎていると判断される場合に前記要求情報は送信されない、プリンタ。
【請求項９】
請求項１から請求項８までのいずれか１項に記載のプリンタであって、
ユーザが操作する操作部と、
ユーザが前記複数の端末装置のいずれかに係るユーザであるかを判断するための情報である認証情報を前記操作部を介して受け付ける認証受付け部と、を更に備えるプリンタ。
【請求項１０】
請求項１から請求項９までのいずれか１項に記載のプリンタであって、
前記更新情報は、前記サーバに記憶されるＸＭＬファイル内に含まれ、
前記受信部は、当該更新情報を前記サーバから受信する、プリンタ。
【請求項１１】
請求項１から請求項１０までのいずれか１項に記載のプリンタであって、
前記対象ファイルは、ＰＤＦファイルである、プリンタ。
【請求項１２】
印刷実行部と特定のインターフェースとを備えるプリンタが備えるコンピュータを、
前記特定のインターフェースを介して、外部記憶装置から対象ファイルを取得するファイル取得部と、
前記対象ファイルが特定の機能を示す情報を有するか否かを判断する情報判断部であって、前記特定の機能は、共通のファイルである前記対象ファイルが複数の端末装置のそれぞれで更新されることに応じて、前記複数の端末装置のそれぞれが前記対象ファイルの更新の結果を示す更新情報をサーバに送信可能な機能である、前記情報判断部と、
前記情報判断部により前記対象ファイルが前記特定の機能を示す情報を有すると判断される場合に、前記更新情報を要求するための要求情報を前記サーバに送信する要求送信部であって、前記情報判断部により前記対象ファイルが前記特定の機能を示す情報を有しないと判断される場合に、前記要求情報は前記サーバに送信されない、前記要求送信部と、
前記サーバから前記更新情報を受信する受信部と、
前記更新情報を利用して、取得済みの前記対象ファイルを更新する更新部と、
更新済みの前記対象ファイルに基づく画像を前記印刷実行部に印刷させる印刷制御部と、
として機能させるコンピュータプログラム。
【発明の詳細な説明】
【技術分野】
【０００１】
本開示は、プリンタ及びコンピュータプログラムに関する。
【背景技術】
【０００２】
非特許文献１には、対象ファイルを複数のユーザで共有可能なシステムが開示されている。
具体的には、ユーザは、対象ファイルを当該ユーザの端末装置から他のユーザの端末装置及びサーバに送信する。他のユーザは、送信された対象ファイルを閲覧し、レビュー内容を示すレビュー内容情報を他のユーザの端末装置を介してサーバに送信する。これにより、サーバにレビュー内容情報（すなわち、対象ファイルの更新情報）が格納され、サーバに格納された対象ファイルが更新される。そして、各ユーザの端末装置に格納された対象ファイルがサーバに格納された対象ファイルと同期され、各ユーザの端末装置に格納された対象ファイルが更新される。このようにして、ユーザは、他のユーザからのレビュー内容情報を閲覧することができる。
【先行技術文献】
【非特許文献】
【０００３】
【非特許文献１】Adobe社、共有レビューを開始する方法（Acrobat XI）、[online]、[平成３０年３月８日検索]、インターネット＜URL:1522376072375_0.html＞
【発明の概要】
【発明が解決しようとする課題】
【０００４】
例えば、対象ファイルが外部記憶装置に格納された後に、外部記憶装置がサーバから更新情報を取得しない状況では、外部記憶装置に格納される対象ファイルは更新されない。そして、プリンタが外部記憶装置から対象ファイルを取得し、当該プリンタで対象ファイルに対して印刷処理を行う場合、更新情報が反映されていない対象ファイルに対し、印刷処理が実行される可能性がある。
【０００５】
本開示は、外部記憶装置に格納された対象ファイルを用いて印刷処理が実行される場合に、更新された対象ファイルを利用して印刷処理が実行可能になる技術を提供することを目的とする。
【課題を解決するための手段】
【０００６】
本開示の一態様は、プリンタであって、印刷実行部と、特定のインターフェースと、ファイル取得部と、情報判断部と、要求送信部と、受信部と、更新部と、印刷制御部と、を備える。ファイル取得部は、特定のインターフェースを介して、外部記憶装置から対象ファイルを取得する。情報判断部は、対象ファイルが特定の機能を示す情報を有するか否かを判断する。特定の機能は、共通のファイルである対象ファイルが複数の端末装置のそれぞれで更新されることに応じて、複数の端末装置のそれぞれが対象ファイルの更新の結果を示す更新情報をサーバに送信可能な機能である。要求送信部は、情報判断部により対象ファイルが特定の機能を示す情報を有すると判断される場合に、更新情報を要求するための要求情報をサーバに送信する要求送信部であって、情報判断部により対象ファイルが特定の機能を示す情報を有しないと判断される場合に、要求情報はサーバに送信されない。受信部は、サーバから更新情報を受信する。更新部は、更新情報を利用して、取得済みの対象ファイルを更新する。印刷制御部は、更新済みの対象ファイルに基づく画像を印刷実行部に印刷させる。
【０００７】
このような構成によれば、外部記憶装置に格納された対象ファイルを用いて印刷処理が実行される場合に、更新された対象ファイルを利用して印刷処理が実行可能になる。
【０００８】
上記のプリンタとしてコンピュータを機能させるコンピュータプログラム、当該プリンタを実現するための制御方法、及び、上記のコンピュータプログラムを格納するコンピュータ読取可能記憶媒体も新規で有用である。
【図面の簡単な説明】
【０００９】
【図１】図１は、共有システムの構成を示すブロック図である。
【図２】図２は、プリンタの構成を示すブロック図である。
【図３】図３は、ダイレクト印刷処理のフローチャートである。
【図４】図４は、サーバに格納された、レビュー情報を含むＸＭＬファイルの説明図である。
【図５】図５は、レビュー情報投稿処理のフローチャートである。
【発明を実施するための形態】
【００１０】
以下、図面を参照しながら、本開示を実施するための形態を説明する。
［１．構成］
＜全体構成＞
図１に示す共有システム１００は、複数の端末装置１〜４、サーバ５及びプリンタ６を備える。共有システム１００は、これらの装置１〜６が通信ネットワーク１０を介して互いに通信可能に構成されたシステムである。
【００１１】
共有システム１００は、対象ファイルを複数のユーザ（本実施形態では複数の端末装置１〜４のユーザ）で共有する「共有レビュー機能」を実現可能なシステムである。すなわち、一の端末装置に係るユーザが対象ファイルを他の端末装置に係るユーザに送信し、他の端末装置に係るユーザが対象ファイルに対するレビュー情報を投稿する。
【００１２】
ここでいうレビュー情報は、レビューを投稿したユーザのユーザ情報（本実施形態ではユーザ名及び電子メールアドレス）、及び、コメントや注釈等のレビュー内容を示すレビュー内容情報、を含む。また、レビュー情報は、対象ファイルにおけるレビュー内容情報が付される位置を示す情報、及び、ユーザがレビュー内容情報を入力した時刻を示す情報、を含む。
【００１３】
以下、共有レビュー機能について詳細に説明する。なお、以下の説明では、端末装置１のユーザが作成した対象ファイルを、端末装置２〜４のユーザとの間で共有する場合を例示して説明する。また、本実施形態では端末装置１〜４はパーソナルコンピュータであることが想定されるが、端末装置はこれに限られず、端末装置は例えばスマートフォンやタブレット端末などであってもよい。
【００１４】
まず、端末装置１のユーザは、端末装置１で作成するなどして対象ファイルを用意する。本実施形態では、対象ファイルは、ＰＤＦ（Portable Document Formatの略）ファイルである。端末装置１のユーザは、端末装置１から他の端末装置２〜４及びサーバ５に対象ファイルを送信する。具体的には、端末装置１のユーザは、サーバ５の通信ネットワーク１０上の所在を示すパス名やＵＲＬ（Uniform Resource Locatorの略）などの、対象ファイルを格納する場所を設定する。また、端末装置１のユーザは、他のユーザの電子メールアドレスを設定する。なお、本実施形態では、設定された上記の対象ファイルの格納場所や他のユーザの電子メールアドレスの情報は、対象ファイルに設定される。続いて、他のユーザの端末装置２〜４に電子メールの添付ファイルとして対象ファイルが送信される。また、サーバ５に対象ファイルが送信されて格納される。
【００１５】
本実施形態では、ユーザは、レビュー期間を設定可能である。レビュー期間は、対象ファイルに対するレビュー情報をアップロード可能な期間であり、レビュー期間を過ぎるとレビュー情報のアップロードができなくなる。設定されたレビュー期間を示す情報はＰＤＦファイルに設定される。
【００１６】
他の端末装置２〜４のユーザは、送信された対象ファイルを閲覧し、対象ファイルに対するレビュー情報をサーバ５に送信する。換言すれば、共通のファイルである対象ファイルが複数の端末装置２〜４のそれぞれで更新されることに応じて、複数の端末装置２〜４のそれぞれが対象ファイルの更新の結果を示す更新情報をサーバ５に送信する。このようにして、サーバ５には、端末装置１から送信された対象ファイルと、当該対象ファイルに対するレビュー情報と、が格納される。
【００１７】
そして、端末装置１〜４にローカルに格納されている対象ファイルと、サーバ５に格納されて更新されている対象ファイルと、が定期的に同期される。本実施形態では、端末装置１〜４のユーザが対象ファイルを閲覧、作成、修正等を行うソフトウェアを自身の端末装置１〜４で起動し、対象ファイルを開いたタイミングで同期が行われる。また、上記ソフトウェアが起動されると、対象ファイルの同期を行うためのソフトウェアボタンが表示され、ユーザが当該ソフトウェアボタンを操作した場合も対象ファイルの同期が行われる。同期が行われることで、端末装置１に格納されている対象ファイルに他のユーザからのレビュー情報が反映され、端末装置１のユーザは他のユーザからのレビュー情報を閲覧可能になる。以上が共有レビュー機能である。
【００１８】
また、本実施形態では、プリンタ６がサーバ５との間でレビュー情報の送受信を行うことが可能である。すなわち、ユーザが、端末装置１に格納された対象ファイルの画像をプリンタ６で印刷するとき、外部記憶装置を端末装置１に接続して対象ファイルを取得し、当該外部記憶装置をプリンタ６に接続して対象ファイルの画像を印刷することが考えられる。この場合、外部記憶装置に対象ファイルが格納されている間は、同期が行われず、対象ファイルの更新が行われない。本実施形態では、プリンタ６は、レビュー情報の送受信が可能に構成され、更新された対象ファイルにしたがって印刷が可能になる。詳細は後述する。なお、本実施形態では、外部記憶装置としてＵＳＢ（Universal Serial Busの略）メモリが想定される。
＜プリンタの構成＞
図２に示すように、プリンタ６は、制御部６０、印刷実行部６３、読取り部６４、表示部６５、操作部６６、ネットワークインターフェース（以下「ネットワークＩ／Ｆ」と称す）６７及びＵＳＢインターフェース（以下「ＵＳＢＩ／Ｆ」と称す）６８を備えている。
【００１９】
制御部６０は、ＣＰＵ６１及び記憶部６２を少なくとも含むマイクロコンピュータを中心に構成されている。ＣＰＵ６１は、非遷移的実体的記憶媒体に格納されたプログラムを実行することにより各種機能を実現する。本実施形態では、記憶部６２が、プログラムを格納した非遷移的実体的記憶媒体に該当する。記憶部６２は、例えばＲＯＭ、ＲＡＭ、フラッシュメモリ等の半導体メモリを少なくとも１つ含む。なお、ＣＰＵ６１がプログラムを実行することにより実現される機能の一部又は全てを、論理回路やアナログ回路等を組み合わせたハードウェアを用いて実現してもよい。制御部６０は、記憶部６２に記憶されたプログラムを実行することで、後述する図３に示すダイレクト印刷処理及び図５に示すレビュー情報投稿処理を実行する。
【００２０】
印刷実行部６３は、各種画像データを印刷媒体に印刷する機能を有する。印刷実行部６３は、例えばインクジェット方式、電子写真方式などの複数種類の印刷方式のうち何れかの方式にて印刷を実行するように構成されている。
【００２１】
読取り部６４は、イメージセンサを備え、原稿の画像を読み取り、読み取った画像の画像データを生成する。
表示部６５は、画像を表示可能な表示デバイスとして例えば不図示の液晶ディスプレイを有する。
【００２２】
操作部６６は、ユーザによる入力操作を受け付ける入力装置であり、不図示のタッチパネルや操作ボタンなどの各種の入力手段を有する。タッチパネルは、前述の表示デバイスにおける画像表示領域に重畳配置されている。
【００２３】
ネットワークＩ／Ｆ６７は、プリンタ６を通信ネットワーク１０に接続するための通信インターフェースである。ネットワークＩ／Ｆ６７が通信ネットワーク１０に接続されることで、プリンタ６がサーバ５及び端末装置１〜４と通信可能になる。なお、通信ネットワーク１０としては、有線ＬＡＮ、無線ＬＡＮ、インターネット等が挙げられる。
【００２４】
ＵＳＢＩ／Ｆ６８は、ＵＳＢ規格のデバイスを接続してデータ通信を行うためのインターフェースである。
［２．処理］
［２−１．ダイレクト印刷処理］
次に、プリンタ６の制御部６０が実行するダイレクト印刷処理について、図３のフローチャートを用いて説明する。ダイレクト印刷処理は、プリンタ６の電源がオンである間において周期的に実行される。
【００２５】
まず、Ｓ１０１で、制御部６０は、ユーザ認証が成立したか否かを判断する。プリンタ６には、所定の権限を有するユーザに係る認証情報があらかじめ登録されている。制御部６０は、登録済みの認証情報と、ユーザから取得された認証情報と、を照合し、認証情報が一致する場合に、認証が成立したと判断する。
【００２６】
本実施形態では、制御部６０は、所定の権限を有するユーザとして、プリンタ６のダイレクト印刷機能を利用可能なユーザを認証する。ダイレクト印刷機能は、プリンタ６が、ネットワークを介さずに、メディア（本実施形態ではＵＳＢメモリ）から印刷対象のファイルを取得して、当該ファイルにしたがった印刷を実行する機能である。
【００２７】
制御部６０は、認証情報を入力するための入力画面を表示部６５に表示し、ユーザが操作部６６を介して当該入力画面に認証情報を入力することで、認証情報が取得される。又は、認証情報が記憶されているＩＣカードをユーザがプリンタ６にかざすことで、認証情報が取得される。なお、認証情報には、ユーザ名やパスワード、ユーザの電子メールアドレス等が含まれる。
【００２８】
制御部６０は、Ｓ１０１でユーザ認証が成立していないと判断した場合には、Ｓ１０１に戻る。
一方、制御部６０は、Ｓ１０１でユーザ認証が成立したと判断した場合には、Ｓ１０２に移行し、ＵＳＢメモリがＵＳＢＩ／Ｆ６８に挿入されたか否かを判断する。制御部６０は、Ｓ１０２でＵＳＢメモリがＵＳＢＩ／Ｆ６８に挿入されていないと判断した場合には、図３のダイレクト印刷処理を終了する。
【００２９】
一方、制御部６０は、Ｓ１０２でＵＳＢメモリがＵＳＢＩ／Ｆ６８に挿入されたと判断した場合には、Ｓ１０３に移行し、ダイレクト印刷を実行するか否かを判断する。
本実施形態では、制御部６０は、Ｓ１０１でユーザ認証が成立すると、ダイレクト印刷を実行するためのソフトウェアボタンを表示部６５に表示する。そして、制御部６０は、ユーザが当該ソフトウェアボタンを操作したか否かに基づきダイレクト印刷を実行するか否かを判断する。なお、制御部６０は、上記のソフトウェアボタンが表示されてから所定時間経過しても当該ボタンが操作されない場合、ダイレクト印刷を実行しないと判断する。
【００３０】
制御部６０は、Ｓ１０３でダイレクト印刷を実行しないと判断した場合には、図３のダイレクト印刷処理を終了する。
一方、制御部６０は、Ｓ１０３でダイレクト印刷を実行すると判断した場合には、Ｓ１０４に移行する。
【００３１】
Ｓ１０４で、制御部６０は、ＵＳＢＩ／Ｆ６８に挿入されたＵＳＢメモリからＰＤＦファイルを取得し、解析する。
続いて、Ｓ１０５で、制御部６０は、Ｓ１０４で取得されたＰＤＦファイルが共有レビュー機能を示す情報を有するか否かを判断する。本実施形態では、共有レビュー機能を示す情報は、対象ファイル及びレビュー情報が投稿されるサーバ５のパス名又はＵＲＬを示す情報である。制御部６０は、Ｓ１０４で取得されたＰＤＦファイルに当該パス名又はＵＲＬを示す情報が設定されているか否かを判断する。
【００３２】
制御部６０は、Ｓ１０５でＰＤＦファイルが共有レビュー機能を示す情報を有しないと判断した場合には、Ｓ１１４に移行し、ＰＤＦファイルに基づいて画像を印刷実行部６３に印刷させた後、図３のダイレクト印刷処理を終了する。
【００３３】
一方、制御部６０は、Ｓ１０５でＰＤＦファイルが共有レビュー機能を示す情報を有すると判断した場合には、Ｓ１０６に移行し、プリンタ６がレビュー情報更新モードであるか否かを判断する。
【００３４】
レビュー情報更新モードとは、対象ファイルに基づいて画像を印刷するときに、サーバ５からレビュー情報を受信して、更新済みの当該対象ファイルにしたがって印刷を実行するモードである。本実施形態では、ユーザは、レビュー情報更新モード及びレビュー情報非更新モードからモードを選択可能である。なお、レビュー情報非更新モードでは、ＰＤＦファイルが共有レビュー機能を示す情報を有するか否かにかかわらず、対象ファイルに基づいて画像を印刷するときに、対象ファイルの更新が行われない。すなわち、レビュー情報非更新モードでは、前述したＳ１０４で、一部更新された状態の対象ファイルが取得された場合、一部更新された状態の対象ファイルにしたがって画像が印刷される。
【００３５】
制御部６０は、Ｓ１０６でプリンタ６がレビュー情報更新モードでない、つまり、プリンタ６がレビュー情報非更新モードであると判断した場合には、前述したＳ１１４に移行し、ＰＤＦファイルに基づいて画像を印刷実行部６３に印刷させる。この場合、制御部６０は、レビュー情報以外の画像を印刷実行部６３に実行させる。制御部６０は、Ｓ１１４を実行すると、図３のダイレクト印刷処理を終了する。
【００３６】
一方、制御部６０は、Ｓ１０６でプリンタ６がレビュー情報更新モードであると判断した場合には、Ｓ１０７に移行し、Ｓ１０１で入力されたユーザ認証情報にレビュアー情報が含まれているか否かを判断する。レビュアー情報とは、共有レビュー機能の利用者（本実施形態では端末装置１〜４のユーザ）を特定可能な情報であり、具体的には、端末装置１〜４のユーザのユーザ情報（ユーザ名及び電子メールアドレス）である。
【００３７】
制御部６０は、Ｓ１０７でユーザ認証情報にレビュアー情報が含まれていないと判断した場合には、Ｓ１０８に移行し、レビュアー情報を入力するための入力画面を表示部６５に表示することでレビュアー情報の入力要求を出力する。そして、制御部６０は、ユーザからレビュアー情報を操作部６６を介して受け付ける。制御部６０は、Ｓ１０８を実行すると、後述するＳ１０９に移行する。
【００３８】
一方、制御部６０は、前述したＳ１０７でユーザ認証情報にレビュアー情報が含まれていると判断した場合には、前述したＳ１０８を飛ばし、Ｓ１０９に移行する。
Ｓ１０９で、制御部６０は、サーバ５にアクセス可能か否かを判断する。本実施形態では、制御部６０は、プリンタ６が通信ネットワーク１０に接続されている場合に、サーバ５にアクセス可能であると判断する。
【００３９】
制御部６０は、Ｓ１０９でサーバ５にアクセス可能であると判断した場合には、Ｓ１１０に移行し、ＰＤＦファイルの最新の更新日時がレビュー期間を過ぎているか否かを判断する。ここで、制御部６０は、ＰＤＦファイルのプロパティを参照し、最新の更新日時を取得する。また、本実施形態では、ユーザがレビュー期間を設定するとＰＤＦファイルにレビュー期間が設定される。制御部６０はＰＤＦファイルからレビュー期間を取得する。
【００４０】
制御部６０は、Ｓ１１０でＰＤＦファイルの最新の更新日時がレビュー期間を過ぎていないと判断した場合には、Ｓ１１１に移行し、レビュー情報を要求するための要求情報をサーバ５に送信し、サーバ５に格納されているレビュー情報を受信する。
【００４１】
ここで、サーバ５には、図４に示すような、レビュー情報を含むＸＭＬ（Extensible Markup Languageの略）形式で記述されたＸＭＬファイルが格納されている。
すなわち、レビュー情報がサーバ５に投稿される度に、上記のＸＭＬファイルに、レビュアーのユーザ名及び電子メールアドレス、レビュー内容情報、並びに、ＰＤＦファイルにおけるレビュー内容情報が付される位置を示すＰＤＦファイルにおけるページ番号及び当該ページにおけるｘ，ｙ座標、が記述される。なお、上記のＸＭＬファイルにはレビュー内容情報それ自体が記述されている必要はなく、例えば、レビュー内容情報は別のフィルに記憶され、上記のＸＭＬファイルにはレビュー内容情報の参照先が記述されていてもよい。
【００４２】
サーバ５は、プリンタ６から要求情報を受信すると、該当するＸＭＬファイルを参照し、レビュー情報を取得する。本実施形態では、プリンタ６からの要求情報には、ＰＤＦファイルの最新の更新日時を示す情報が含まれる。サーバ５は、当該更新日時よりも後に入力されたレビュー情報を上記ＸＭＬファイルから取得し、プリンタ６に送信する。
【００４３】
続いて、Ｓ１１２で、制御部６０は、サーバ５から受信されたレビュー情報を利用して、Ｓ１０４で取得済みのＰＤＦファイルを更新する。具体的には、制御部６０は、取得済みのＰＤＦファイルにおいて、レビュー情報に含まれる位置の情報により指定される位置にユーザ情報及びレビュー内容情報を付すことでＰＤＦファイルを更新する。制御部６０は、Ｓ１１２を実行すると、後述するＳ１１３に移行する。
【００４４】
一方、制御部６０は、前述したＳ１１０でＰＤＦファイルの最新の更新日時がレビュー期間を過ぎていると判断した場合には、前述したＳ１１１〜Ｓ１１２を飛ばし、Ｓ１１３に移行する。つまり、ＰＤＦファイルの最新の更新日時がレビュー期間を過ぎていると判断された場合にはサーバ５に要求情報は送信されず、ＰＤＦファイルの更新は行われない。これは、最新の更新日時がレビュー期間を過ぎている場合、レビュー期間内にサーバに送信された全てのレビュー情報に基づいてＰＤＦファイルが更新されていると考えられるためである。
【００４５】
Ｓ１１３で、制御部６０は、ＰＤＦファイルの印刷データを構成する複数のページデータのそれぞれに投稿バーコード情報を付加する。
投稿バーコード情報とは、レビュアー情報と、サーバ特定情報と、当該投稿バーコード情報が付加されるページデータのページ番号と、を含むバーコードを示す情報である。ここでいうレビュアー情報は、現在、プリンタ６にログインしているユーザ（換言すれば、プリンタ６のダイレクト印刷機能を利用しているユーザ）を特定可能なレビュアー情報であり、前述したＳ１０１又はＳ１０８で入力された情報である。また、サーバ特定情報は、レビュー情報が投稿されるサーバ５を特定可能な情報であり、本実施形態ではサーバ５の所在を示すパス名やＵＲＬを示す情報である。
【００４６】
制御部６０は、Ｓ１１３を実行すると、前述したＳ１１４に移行し、ＰＤＦファイルに基づいて画像を印刷媒体に印刷する。つまり、レビュー情報を含むＰＤＦファイルの画像と、投稿バーコード情報に係るバーコード画像である投稿バーコード画像と、が含まれる合成画像が印刷される。前述のとおり、投稿バーコード画像は各ページに印刷される。
【００４７】
制御部６０は、Ｓ１１４を実行すると、図３のダイレクト印刷処理を終了する。
［２−２．レビュー情報投稿処理］
次に、プリンタ６の制御部６０が実行するレビュー情報投稿処理について、図５のフローチャートを用いて説明する。レビュー情報投稿処理は、プリンタ６の電源がオンである間において周期的に実行される。
【００４８】
Ｓ２０１で、制御部６０は、ユーザ認証が成立したか否かを判断する。Ｓ２０１は、前述したＳ１０１と同様の処理である。
制御部６０は、Ｓ２０１でユーザ認証が成立していないと判断した場合には、Ｓ２０１に戻る。
【００４９】
一方、制御部６０は、Ｓ２０１でユーザ認証が成立したと判断した場合には、Ｓ２０２に移行し、共有レビュースキャンを開始するか否かを判断する。
共有レビュースキャンとは、制御部６０がスキャン対象の原稿に書かれた手書きのレビュー内容情報を読取り部６４によって読み取る機能である。この共有レビュースキャンでは、原稿に印刷された投稿バーコード画像も読み取られる。
本実施形態では、制御部６０は、Ｓ２０１でユーザ認証が成立すると、共有レビュースキャンを開始するためのソフトウェアボタンを表示部６５に表示し、ユーザが当該ソフトウェアボタンを操作したか否かに基づき共有レビュースキャンを開始するか否かを判断する。なお、制御部６０は、上記のソフトウェアボタンが表示されてから所定時間経過しても当該ボタンが操作されない場合、共有レビュースキャンを開始しないと判断する。
【００５０】
制御部６０は、Ｓ２０２で共有レビュースキャンを開始しないと判断した場合には、図５のレビュー情報投稿処理を終了する。
一方、制御部６０は、Ｓ２０２で共有レビュースキャンを開始すると判断した場合には、Ｓ２０３に移行する。
【００５１】
Ｓ２０３及びＳ２０４は、前述したＳ１０７及びＳ１０８とそれぞれ同様の処理であるため、説明を省略する。
Ｓ２０５で、制御部６０は、共有レビュースキャンを開始する。
【００５２】
続いて、Ｓ２０６で、制御部６０は、投稿バーコード画像が読み取られたか否かを判断する。前述したとおり、投稿バーコード画像は、当該投稿バーコード情報が付加されるページデータのページ番号を含む。つまり、複数ページを有する原稿のうちの特定のページにレビュー情報が書き込まれ、共有レビュースキャンが実行される場合、当該特定のページのページ番号が読み取られる。
【００５３】
制御部６０は、Ｓ２０６で投稿バーコード画像が読み取られなかったと判断した場合には、図５のレビュー情報投稿処理を終了する。
一方、制御部６０は、Ｓ２０６で投稿バーコード画像が読み取られたと判断した場合には、Ｓ２０７に移行し、Ｓ２０１で入力されたユーザ認証情報とＳ２０６で読み取られた投稿バーコード画像とのユーザ名が一致するか否かを判断する。
【００５４】
制御部６０は、Ｓ２０７でユーザ認証情報と投稿バーコード画像とのユーザ名が一致しないと判断した場合には、図５のレビュー情報投稿処理を終了する。
一方、制御部６０は、Ｓ２０７でユーザ認証情報と投稿バーコード画像とのユーザ名が一致すると判断した場合には、Ｓ２０８に移行する。つまり、本実施形態では、現在プリンタ６にログインしているユーザが、投稿バーコード画像を印刷したユーザである場合にのみ、Ｓ２０８以降の処理が実行される。
Ｓ２０８は、前述したＳ１０９と同様の処理であるため、説明を省略する。
【００５５】
制御部６０は、Ｓ２０８でサーバ５にアクセス可能でないと判断した場合には、図５のレビュー情報投稿処理を終了する。
一方、制御部６０は、Ｓ２０８でサーバ５にアクセス可能であると判断した場合には、Ｓ２０９に移行し、スキャン対象の原稿に手書きのレビュー内容情報があるか否かを判断する。
【００５６】
制御部６０は、例えば、次のようにして原稿に手書きのレビュー内容情報があるか否かを判断する。すなわち、ユーザは、レビュー内容情報を原稿に書き込む場合、書き込んだレビュー内容情報を特定の色（例えば赤色）の囲み線で囲む。制御部６０は、当該囲み線が検出された場合に、原稿に手書きのレビュー内容情報があると判断する。
【００５７】
囲み線の検出は例えば以下のようにして行われる。すなわち、制御部６０は、まず、スキャンデータを構成する２個以上のＲＧＢ画素のそれぞれについて、輝度値を算出する。そして、制御部６０は、スキャンデータを構成する２個以上のＲＧＢ画素のそれぞれについて、当該ＲＧＢ画素から算出された輝度値が予め決められている赤色（すなわち、囲み線の色）に対応する数値範囲に含まれる場合に、当該ＲＧＢ画素をＯＮ画素として決定する。一方、制御部６０は、当該ＲＧＢ画素から算出された輝度値が上記の数値範囲に含まれない場合に、当該ＲＧＢ画素をＯＦＦ画素として決定する。これにより、赤色に対応するＯＮ画素と、赤色以外の色に対応するＯＦＦ画素と、によって構成されるＯＮ／ＯＦＦ画像データが生成される。そして、制御部６０は、ＯＮ／ＯＦＦ画像データからループを形成する各ＯＮ画素を特定することによって、各囲み線を検出する。すなわち、制御部６０は、当該各ＯＮ画素の位置を特定することによって、各囲み線、ひいては、手書きのレビュー内容情報の各位置を検出する。変形例では、制御部６０は、円形、矩形等のパターンマッチングを実行して、囲み線を検出してもよい。制御部６０は、その他の方法で囲み線を検出してもよい。なお、Ｓ２０９で検出されるレビュー内容情報の位置は、具体的には、例えば、囲み線の外接矩形の左上の座標値であってもよい。
【００５８】
制御部６０は、Ｓ２０９でスキャン対象の原稿に手書きのレビュー内容情報がないと判断した場合には、図５のレビュー情報投稿処理を終了する。
一方、制御部６０は、Ｓ２０９でスキャン対象の原稿に手書きのレビュー内容情報があると判断した場合には、Ｓ２１０に移行し、周知のＯＣＲ（Optical Character Recognition）処理を実行し、手書きのレビュー内容情報を取得する。
【００５９】
続いて、Ｓ２１１で、制御部６０は、検出された手書きのレビュー内容情報が書き込まれたページの投稿バーコード画像から情報を読み出す。具体的には、制御部６０は、当該投稿バーコード画像からレビュアー情報、サーバ特定情報及びページ番号を読み出す。
【００６０】
続いて、Ｓ２１２で、制御部６０は、サーバ５にレビュー情報を送信する。具体的には、制御部６０は、Ｓ２１０で取得されたレビュー内容情報とＳ２０９で検出されたレビュー内容情報の位置を、Ｓ２１１で読み出されたサーバ特定情報により特定されるサーバ５に送信する。また、制御部６０は、Ｓ２１１で読み出されたレビュアー情報（書き込んだレビュアーを示す情報）及び読み出された日時を示す日時情報も併せてサーバ５に送信する。制御部６０は、Ｓ２１２を実行すると、図５のレビュー情報送信処理を終了する。
【００６１】
［３．効果］
以上詳述した実施形態によれば、以下の効果が得られる。
（１）本実施形態では、制御部６０は、ＰＤＦファイルが共有レビュー機能を示す情報を有すると判断した場合に、要求情報をサーバ５に送信し、サーバ５からレビュー情報を受信する。そして、制御部６０は、受信されたレビュー情報を利用して、取得済みのＰＤＦファイルを更新する。そして、制御部６０は、更新済みのＰＤＦファイルに基づく画像を印刷実行部６３に印刷させる。したがって、ＵＳＢメモリに格納されたＰＤＦファイルルを用いて印刷処理が実行される場合に、更新されたＰＤＦファイルを利用して印刷処理が実行可能になる。
【００６２】
（２）本実施形態では、制御部６０は、複数の端末装置１〜４のうちのいずれかの端末装置からＵＳＢメモリに格納されたＰＤＦファイルを、当該ＵＳＢメモリから取得する。そして、制御部６０は、ＵＳＢメモリにＰＤＦファイルが格納された後にプリンタ６に格納されたレビュー情報を利用して、ＰＤＦファイルを更新する。ＰＤＦファイルがＵＳＢメモリに格納されている間、当該ＰＤＦファイルは更新されない。したがって、更新がされなくなった時点以降に投稿されたレビュー情報を利用して、ＰＤＦファイルを更新できる。
【００６３】
（３）本実施形態では、制御部６０は、ＵＳＢＩ／Ｆ６８にＵＳＢメモリが挿入されることに応じてＰＤＦファイルをＵＳＢメモリから取得する。したがって、ＵＳＢメモリによるダイレクト印刷を実行する場合において、更新後のＰＤＦファイルにしたがって印刷を実行できる。
【００６４】
（４）本実施形態では、ユーザは、レビュー情報更新モード及びレビュー情報非更新モードからモードを選択可能である。換言すれば、ＰＤＦファイルを更新するか否かをユーザが選択できる。よって、複数のモードからモードを選択できない構成（例えばレビュー情報更新モードしか選択できない構成）と比較して、ユーザの利便性を向上できる。
【００６５】
（５）本実施形態では、制御部６０は、ＯＣＲ処理により原稿から手書きのレビュー内容情報を読み取り、読み取られたレビュー内容情報をサーバ５に送信する。
したがって、ユーザが端末装置１〜４を利用できない場合にもプリンタ６によりレビュー内容情報を送信できる。また、端末装置１〜４を利用してレビュー内容情報を入力するよりも手書きでレビュー内容情報を書き込んだ方が手間がかからない場合があり、このような場合にもサーバ５にレビュー内容情報を送信できる。よって、プリンタ６を利用して手書きのレビュー内容情報をサーバ５に送信できない構成と比して、ユーザの利便性を向上できる。
【００６６】
（６）本実施形態では、制御部６０は、更新済みのＰＤＦファイルに基づく画像と、投稿バーコード画像と、が含まれる合成画像を印刷実行部６３に印刷させる。
したがって、投稿バーコード画像を読み取ってレビュアー情報及びサーバ特定情報を取得し、取得されたこれらの情報を利用してレビュー内容情報をサーバ５に送信できる。よって、例えば操作部６６を介してしかレビュアー情報等を入力できない構成と比較して、ユーザの利便性を向上できる。
【００６７】
（７）本実施形態では、制御部６０は、原稿に印刷された投稿バーコード画像を読み取ることで、レビュアー情報及びサーバ特定情報を取得する。また、制御部６０は、ＯＣＲ処理により原稿から手書きのレビュー内容情報を読み取る。そして、制御部６０は、読み取られたレビュー内容情報と、認証されたユーザを特定するレビュアー情報と、をサーバ特定情報により特定されるサーバ５に対して送信する。
【００６８】
よって、投稿バーコード画像を読み取って取得されたレビュアー情報及びサーバ特定情報を利用して、読み取られた手書きの更新情報をサーバ５に送信できる。したがって、操作部６６を介してしかレビュアー情報等を入力できない構成と比較して、ユーザが手間をよりかけることなく手書きの更新情報をサーバ５に送信できる。
【００６９】
（８）本実施形態では、制御部６０は、ＰＤＦファイルの最新の更新日時がレビュー期間を過ぎているか否かを判断し、最新の更新日時がレビュー期間を過ぎていない判断した場合に要求情報を送信し、最新の更新日時がレビュー期間を過ぎていると判断した場合に要求情報が送信されない。
【００７０】
ＰＤＦファイルの更新日時がレビュー期間を過ぎていない場合、ＰＤＦファイルの更新日時以降にサーバ５に送信されたレビュー情報に基づいてＰＤＦファイルが更新されていない可能性がある。一方、上記更新日時がレビュー期間を過ぎている場合、レビュー期間内にサーバ５に送信された全てのレビュー情報に基づいてＰＤＦファイルが更新されていると考えられる。よって、このような場合にも要求情報が送信されることを抑制することで、不要な要求情報の送信を抑制できる。
【００７１】
（９）本実施形態では、ユーザが共有レビュー機能の利用者（換言すれば、複数の端末装置１〜４のいずれかに係るユーザ）であるかを判断するための情報である認証情報であるユーザ名及び電子メールアドレスを、操作部６６を介して入力できる。
【００７２】
したがって、ＰＤＦファイルの更新にユーザ認証が必要な構成において、操作部６６を介して認証情報を入力できない構成と比較して、ユーザの利便性を向上できる。
（１０）本実施形態では、要求情報を受信したサーバ５は、レビュー情報を含むＸＭＬファイルを参照することでレビュー情報を取得する。そして、プリンタ６は、当該取得されたレビュー情報をサーバ５から受信する。
【００７３】
したがって、レビュー情報がＣＳＶ（Comma Separated Valuesの略）形式のファイル等に記述される場合と比較して、レビュー情報が記述されたファイルにおいてレビュー情報を特定しやすく、ひいては、プリンタ６がレビュー情報を効率的に受信でき得る。
【００７４】
（１１）本実施形態では、対象ファイルは、ＰＤＦファイルである。したがって、レビュー情報で更新した状態でＰＤＦファイルに基づく画像を印刷できる。
【００７５】
なお、本実施形態では、ＵＳＢＩ／Ｆ６８が特定のインターフェースに相当し、ＵＳＢメモリが外部記憶装置に相当し、共有レビュー機能が特定の機能に相当し、レビュー内容情報が更新情報に相当する。また、レビュー情報更新モードが第１のモードに相当し、レビュー情報非更新モードが第２のモードに相当し、投稿バーコード画像がコード画像に相当し、レビュアー情報がユーザ特定情報に相当し、レビュー期間を示す情報が期間情報に相当する。また、Ｓ１０４がファイル取得部としての処理に相当し、Ｓ１０５が情報判断部としての処理に相当し、Ｓ１０６が選択受付け部としての処理に相当し、Ｓ１１０が期間判断部に相当し、Ｓ１１１が要求送信部及び受信部としての処理に相当する。また、Ｓ１１２が更新部としての処理に相当し、Ｓ１１４が印刷制御部としての処理に相当し、Ｓ２０１及びＳ２０７が認証部としての処理に相当し、Ｓ２０１及びＳ２０４が認証受付け部としての処理に相当し、Ｓ２１０が読取り処理部としての処理に相当し、Ｓ２１１が情報取得部としての処理に相当し、Ｓ２１２が更新送信部としての処理に相当する。
【００７６】
［４．他の実施形態］
以上、本開示を実施するための形態について説明したが、本開示は上述の実施形態に限定されることなく、種々変形して実施することができる。
【００７７】
（１）外部記憶装置及び特定のインターフェースはＵＳＢメモリ及びＵＳＢＩ／Ｆ６８に限られない。例えば、外部記憶装置はカード型の各種フラッシュメモリ等であり、特定のインターフェースは当該各種フラッシュメモリを接続するインターフェースであってもよい。また、上記実施形態では、プリンタ６は、ＵＳＢメモリから対象ファイルを取得するが、対象ファイルの取得方法はこれに限られず、無線ＬＡＮ、有線ＬＡＮ、インターネット等を介して対象ファイルが取得されてもよい。
また、外部記憶装置は、端末装置１〜４のいずれかであってもよい。すなわち、端末装置１〜４が通信ネットワーク１０に接続されていない場合、端末装置１〜４に格納された対象ファイルは更新されない。そして、プリンタ６が外部記憶装置としての端末装置１〜４から対象ファイルを取得し、対象ファイルに対して印刷処理を行う場合、更新情報が反映されていない対象ファイルに対し、印刷処理が実行される可能性がある。この場合も、本開示に係る構成を適用することで、更新された対象ファイルを利用して印刷処理が実行可能になる。
【００７８】
（２）上記実施形態では、サーバ５は、ＰＤＦファイルの最新の更新日時よりも後に入力されたレビュー情報をプリンタ６に送信するが、送信されるレビュー情報はこれに限られない。例えば、サーバ５は、該当するＸＭＬファイルに記憶された全てのレビュー情報をプリンタ６に送信し、プリンタ６側で、ＰＤＦファイルに反映されていないレビュー情報を判別し、当該反映されていないレビュー情報を利用してＰＤＦファイルを更新してもよい。
【００７９】
（３）上記実施形態において、プリンタは、レビュー情報更新モードのみが選択可能に構成されていてもよい。またプリンタは、レビュー情報更新モード及びレビュー情報非更新モードの組合せ以外の、レビュー情報更新モードを含む２以上のモードからモードを選択可能に構成されていてもよい。例えば、レビュー情報を一切印刷しないモードが選択可能であってもよい。
【００８０】
（４）上記実施形態では、プリンタ６は、共有レビュー機能に係る対象ファイルの印刷物から手書きのレビュー情報（すなわち、更新情報）を読み取るが、手書きの更新情報が読み取られる媒体はこれに限られない。例えば、対象ファイルとは関係のない用紙から手書きの更新情報が取得されてもよい。
【００８１】
（５）上記実施形態において、制御部６０は、図５のＳ２０６で原稿に投稿バーコード画像が印刷されていないと判断した場合に、表示部６５にレビュアー情報及びサーバ特定情報を入力させるための入力画面を表示し、レビュアー情報及びサーバ特定情報をユーザに入力されてもよい。そして、制御部６０は、入力された情報を用いて手書きのレビュー内容情報をサーバ５に送信してもよい。
【００８２】
（６）上記実施形態では、共有レビュー機能を利用するユーザのうちプリンタ６にログインしているユーザのユーザ特定情報を示す投稿バーコード画像が印刷されるが、印刷される投稿バーコード画像はこれに限られない。例えば、共有レビュー機能を利用する全ユーザを特定可能なユーザ特定情報を示す投稿バーコード画像が印刷されてもよい。
【００８３】
（７）上記実施形態では、コード画像としてバーコード画像を例示したが、コード画像はこれに限られない。例えば、コード画像は、ＱＲコード（登録商標）等の二次元コードの画像等であってもよい。
【００８４】
（８）上記実施形態において、プリンタ６は、ＰＤＦファイルの最新の更新日時がレビュー期間を過ぎていてもサーバ５に要求情報を送信し、レビュー情報を受信してもよい。
（９）更新情報を記憶するデータファイルの形式はＸＭＬ形式に限られず、例えばＣＳＶ形式のファイル等に更新情報が記憶されてもよい。
【００８５】
（１０）上記実施形態において、共有レビュー機能を示す情報は、サーバ５の所在を示す情報以外の情報であってもよい。
（１１）上記実施形態において、ＯＣＲ処理を実行せずに、手書きされた領域全体が画像データの形式で取得されることで、手書きのレビュー内容情報が取得されてもよい。
（１２）上記実施形態で、制御部６０が実行する機能の一部又は全部を、１つあるいは複数のＩＣ等によりハードウェア的に構成してもよい。
【００８６】
（１３）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言によって特定される技術思想に含まれるあらゆる態様が本開示の実施形態である。
【符号の説明】
【００８７】
１〜４…端末装置、５…サーバ、６…プリンタ、６０…制御部、６３…印刷実行部、
６４…読取り部、６５…表示部、６６…操作部、６７…ネットワークＩ／Ｆ、
６８…ＵＳＢＩ／Ｆ、１００…共有システム。
【図１】
2019180014.tif 000003
【図２】
2019180014.tif 000004
【図３】
2019180014.tif 000005
【図４】
2019180014.tif 000006
【図５】
2019180014.tif 000007
【手続補正書】
【提出日】平成30年11月6日(2018.11.6)
【手続補正１】
【補正対象書類名】明細書
【補正対象項目名】０００３
【補正方法】変更
【補正の内容】
【０００３】
【非特許文献１】Adobe社、共有レビューを開始する方法（Acrobat XI）、[online]、[平成３０年３月８日検索]、インターネット＜URL:https://helpx.adobe.com/jp/acrobat/kb/6113.html＞